(57)【要約】      （修正有）【課題】収納した間仕切パネルの厚み方向への移動を規制した状態を維持できる移動間仕切装置を提供する。【解決手段】スライドレール１１には、収納位置に位置する収納用ガイドレール１２が連続して設けられており、収納用ガイドレール１２は、複数本平行に延びる主要レール２２Ａ，２２Ｂと、これら主要レール２２Ａ，２２Ｂに交差してそれぞれ延設された分岐レール２３Ａ，２３Ｂを備え、収納位置にて主要レール２２Ａ，２２Ｂに間仕切パネル３の２つの被案内部をそれぞれ案内させて間仕切パネル３を主要レール２２Ａ，２２Ｂの長手方向に移動可能であるとともに、間仕切パネル３の２つの被案内部をそれぞれ案内させて分岐レール２３Ａ，２３Ｂの長手方向にそれぞれ移動可能とした。【選択図】図１
2019116783.tif 000002
【特許請求の範囲】
【請求項１】
上端に２つの被案内部を備え、これら被案内部が天井側に架設されたスライドレールに案内される複数の間仕切パネルを幅方向に連接させることで空間を小室に区画するとともに、収納位置に複数の前記間仕切パネルを収納可能な移動間仕切装置であって、
前記スライドレールには、前記収納位置に位置する収納用ガイドレールが連続して設けられており、
前記収納用ガイドレールは、複数本平行に延びる主要レールと、これら主要レールに交差してそれぞれ延設された分岐レールを備え、前記収納位置にて前記主要レールに前記間仕切パネルの前記２つの被案内部をそれぞれ案内させて前記間仕切パネルを前記主要レールの長手方向に移動可能であるとともに、前記間仕切パネルの前記２つの被案内部をそれぞれ案内させて前記分岐レールの長手方向に移動可能であることを特徴とする移動間仕切装置。
【請求項２】
前記分岐レールは、前記主要レールに対して略直交する方向に延設されていることを特徴とする請求項１に記載の移動間仕切装置。
【請求項３】
前記分岐レールは、前記主要レールの長手方向に一箇所のみ延設されていることを特徴とする請求項１または２に記載の移動間仕切装置。
【請求項４】
前記移動間仕切装置は、前記分岐レールの長手方向に移動させた前記間仕切パネルの移動を規制する規制手段を備えることを特徴とする請求項１ないし３のいずれかに記載の移動間仕切装置。
【請求項５】
前記規制手段により、前記分岐レールの長手方向に移動させた前記間仕切パネルが床に固定されることを特徴とする請求項４に記載の移動間仕切装置。
【請求項６】
前記スライドレールに沿って連接接合した最終の前記間仕切パネルの端部には、幅方向の一方端が枢着されて開閉操作可能な可動パネルの自由端部が召合せられており、該可動パネルは開状態にて前記収納用ガイドレールの長手方向における終端と前記分岐レールとの間に位置することを特徴とする請求項１ないし５のいずれかに記載の移動間仕切装置。
【発明の詳細な説明】
【技術分野】
【０００１】
本発明は、部屋を複数の個室に仕切る移動間仕切装置に関する。
【背景技術】
【０００２】
近年、病院の病室や介護施設等では、カーテンの代わりに簡易的な移動間仕切装置を利用して、大部屋を複数の個室に区画している。このような移動間仕切装置として、例えば特許文献１にあっては、天井側に架設されたスライドレールに複数の間仕切パネルが吊支されて構成され、スライドレールに沿って間仕切パネルを連接して個室に区画されている。
【０００３】
ところで、連接された間仕切パネルにより区画された個室に対して大型の家具を搬入または搬出させる際には、間仕切パネルを収納位置に収納させて大きな開口を形成することが行われる。特許文献１の移動間仕切装置は、間仕切パネルを幅方向に案内するスライドレールと、スライドレールと直交し、スライドレールより移乗した間仕切パネルを厚み方向に案内する収納用ガイドレールと、を備えている。
【０００４】
しかしながら、収納用ガイドレールに収納した間仕切パネルは、収納時に間仕切パネルが揺動して所定位置から厚み方向に揺れ戻されることや、外部からの接触によって収納された所定位置から厚み方向に移動してしまうことがあり、搬入または搬出される家具や人の邪魔になるばかりか、開口側に張り出した間仕切パネルに人が接触し怪我をする虞があった。
【０００５】
そこで、特許文献２のような移動間仕切装置がある。この移動間仕切装置は、収納用ガイドレールの内側に引き込み溝を備えており、間仕切パネルを収納用ガイドレールにて幅方向に移動させ、この引き込み溝に間仕切パネルを吊支する支持杆を嵌合させることで、間仕切パネルの厚み方向の移動を規制できるようになっている。
【先行技術文献】
【特許文献】
【０００６】
【特許文献１】特許第４４８６５０６号公報（第４頁、第１図）
【特許文献２】特許第３７４０５５４号公報（第５頁、第４図）
【発明の概要】
【発明が解決しようとする課題】
【０００７】
しかしながら、引き込み溝は収納用ガイドレールの幅内に形成されることから寸法的に小さく、間仕切パネルを操作する利用者が天井側に架設された収納用ガイドレールを見上げた際において、引き込み溝の視認性が低く、支持杆を嵌合させる操作が難しいばかりか、嵌合寸法が浅い引き込み溝からは支持杆が離脱し易く、間仕切パネルの厚み方向の移動を規制した状態を維持し難いという問題もある。
【０００８】
本発明は、このような問題点に着目してなされたもので、収納した間仕切パネルの厚み方向への移動を規制した状態を維持できる移動間仕切装置を提供することを目的とする。
【課題を解決するための手段】
【０００９】
前記課題を解決するために、本発明の移動間仕切装置は、
上端に２つの被案内部を備え、これら被案内部が天井側に架設されたスライドレールに案内される複数の間仕切パネルを幅方向に連接させることで空間を小室に区画するとともに、収納位置に複数の前記間仕切パネルを収納可能な移動間仕切装置であって、
前記スライドレールには、前記収納位置に位置する収納用ガイドレールが連続して設けられており、
前記収納用ガイドレールは、複数本平行に延びる主要レールと、これら主要レールに交差してそれぞれ延設された分岐レールを備え、前記収納位置にて前記主要レールに前記間仕切パネルの前記２つの被案内部をそれぞれ案内させて前記間仕切パネルを前記主要レールの長手方向に移動可能であるとともに、前記間仕切パネルの前記２つの被案内部をそれぞれ案内させて前記分岐レールの長手方向にそれぞれ移動可能であることを特徴としている。
この特徴によれば、分岐レールは主要レールと交差して延びており、間仕切パネルの被案内部を主要レールを超えた位置であって分岐レールの長手方向に深く嵌合でき、間仕切パネルの厚み方向の移動を規制した状態を確実に維持することができる。また、間仕切パネルを操作する利用者が天井側に架設された収納用ガイドレールを見上げた際の分岐レールの視認性が高く、間仕切パネルを分岐レールの長手方向に簡単に移動させることができる。
【００１０】
前記分岐レールは、前記主要レールに対して略直交する方向に延設されていることを特徴としている。
この特徴によれば、主要レールと分岐レールとの間で間仕切パネルの被案内部を移動させる際に間仕切パネルが厚み方向に移動せず、かかる移動操作を行い易い。
【００１１】
前記分岐レールは、前記主要レールの長手方向に一箇所のみ延設されていることを特徴としている。
この特徴によれば、収納位置に最後に収納する間仕切パネルの被案内部を分岐レールに移動させるのみで、それ以前に収納位置に収納した間仕切パネルの厚み方向の移動を規制することができ、複数の間仕切パネルの厚み方向の移動を規制する作業を簡単に完了することができる。
【００１２】
前記移動間仕切装置は、前記分岐レールの長手方向に移動させた前記間仕切パネルの移動を規制する規制手段を備えることを特徴としている。
この特徴によれば、分岐レールの長手方向に移動させた間仕切パネルの分岐レールを戻る方向への移動を規制でき、間仕切パネルの厚み方向の移動を規制した状態を確実に維持することができる。
【００１３】
前記規制手段により、前記分岐レールの長手方向に移動させた前記間仕切パネルが床に固定されることを特徴としている。
この特徴によれば、間仕切パネルは収納位置において、下端側が規制手段により床に固定されて厚み方向の揺動が防止され、上端側が被案内部にて厚み方向の移動が規制されるため、間仕切パネルの厚み方向の移動を確実に防止できる。
【００１４】
前記スライドレールに沿って連接接合した最終の前記間仕切パネルの端部には、幅方向の一方端が枢着されて開閉操作可能な可動パネルの自由端部が召合せられており、該可動パネルは開状態にて前記収納用ガイドレールの長手方向における終端と前記分岐レールとの間に位置することを特徴としている。
この特徴によれば、可動パネルにより小室への出入口を確保できるとともに、分岐レールに嵌合させた間仕切パネルにより可動パネルの移動も同時に規制することができる。
【図面の簡単な説明】
【００１５】
【図１】本発明の実施例における移動間仕切装置を示す斜視図である。
【図２】間仕切パネルを示す側断面図である。
【図３】間仕切パネルの固定機構を示す一部拡大斜視図である。
【図４】可動パネル５を収納する様子を示す平面図である。
【図５】（ａ），（ｂ）は最初の間仕切パネルを収納用ガイドレールに移動させる手順を示す平面図である。
【図６】（ａ），（ｂ）は最後の間仕切パネルを収納用ガイドレールに移動させる手順を示す平面図である。
【図７】（ａ），（ｂ）は最後の間仕切パネルを分岐レールに移動させる手順を示す平面図である。
【図８】レール装置を下方から見た見上図である。
【図９】移動間仕切装置の変形例１を示す平面図である。
【図１０】移動間仕切装置の変形例２を示す平面図である。
【図１１】移動間仕切装置の変形例３を示す平面図である。
【発明を実施するための形態】
【００１６】
本発明に係る移動間仕切装置を実施するための形態を実施例に基づいて以下に説明する。
【実施例】
【００１７】
実施例に係る移動間仕切装置につき、図１から図８を参照して説明する。
【００１８】
本実施例における移動間仕切装置は、病院や介護施設等において大部屋を複数の個室（小室）に仕切る装置である。図１に示されるように、移動間仕切装置１は、天井Ｒ（図２参照）側に架設されたレール装置２に複数の間仕切パネル（本実施例では２枚の間仕切パネル３，４）を吊支し、これら間仕切パネル３，４を連接して個室Ｐと通路Ｃとを仕切っている。
【００１９】
続いて間仕切パネル３，４の構成について説明するが、間仕切パネル３，４は、同様の構成であるため、ここでは間仕切パネル３についてのみ説明し、間仕切パネル４の説明を省略する。間仕切パネル３は、左右に延びる横杆６ａ〜６ｅと上下に延びる縦杆６ｆ，６ｇからなる金属製の枠部材６と、枠部材６に囲まれて固定された複数の板体７，８とから主に構成されている。板体７は透光性を備えたポリカーボネートにより形成されており、間仕切パネル３により区画された個室Ｐ内の照度を確保することができる。また、板体７は半透明となっており、プライバシーを保護可能となっている。
【００２０】
図１に示されるように、間仕切パネル３の枠部材６における上方の横杆６ａの上端には、吊支部材９Ａ，９Ｂが幅方向に離間して設けられている。図２に示されるように、吊支部材９Ａは、上方に延びる支持杆１０Ａ（被案内部）と支持杆１０Ａの上端部に水平方向に回転可能に軸支されたローラ３０とから構成されており、ローラ３０がレール装置２を構成し後述するスライドレール１１の走行面１１ａに載置されることで、間仕切パネル３がレール装置２に吊支されている。ここでは図示しないが、吊支部材９Ｂは、上方に延びる支持杆１０Ｂ（図５参照）と支持杆１０Ｂの上端部に軸支されたローラ３０とから構成されている。
【００２１】
また、間仕切パネル３の下端には、床Ｆに接地可能なキャスター３５が備えられ、間仕切パネル３の移動時における走行性が高められている。
【００２２】
図１に示されるように、レール装置２は、部屋の壁Ｗに直交する方向に延びるスライドレール１１と、スライドレール１１と連続し、部屋の壁Ｗ側に配置された収納用ガイドレール１２とを備えている。間仕切パネル３，４はスライドレール１１に沿う所定位置にてその位置を固定される。図２に示されるように、間仕切パネル３，４の支持杆１０Ａ，１０Ｂは、スライドレール１１の溝１１ｂ及び収納用ガイドレール１２の溝（図示略）の内面に案内される。
【００２３】
詳しくは、図３に示されるように、床Ｆの所定位置には、固定穴部１３が配置・形成されており、間仕切パネル３には、縦杆６ｆに固定機構１４（規制手段）が設けられている。固定機構１４は縦杆６ｆの内部に上下に移動可能に配置された挿入ロッド１６と、挿入ロッド１６を操作可能な操作ピン１６ａと、縦杆６ｆの内面に上下方向に形成された長孔１５と、から構成され、長孔１５から外部に露出する操作ピン１６ａにより挿入ロッド１６を上下に移動操作可能な所謂フランス落とし構造となっている。
【００２４】
操作ピン１６ａを操作して挿入ロッド１６を下方に移動操作すると、挿入ロッド１６は縦杆６ｆの下方に突出し、挿入ロッド１６が固定穴部１３に挿入されることで、間仕切パネル３の幅方向への移動を規制できる。
【００２５】
図では詳述しないが、固定穴部１３は、当該固定穴部１３に挿入ロッド１６が挿入されて幅方向の移動が規制された部屋の壁Ｗ側の最終の間仕切パネル４の壁Ｗ側の端部４ａと部屋の壁Ｗとが、所定距離で離間する位置に配置されている。この所定距離とは、後述する可動パネル５の幅方向の寸法と略等しい。
【００２６】
間仕切パネル４が所定位置にて固定されることで、間仕切パネル４の壁Ｗ側の端部４ａと部屋の壁Ｗとの間に個室Ｐへの出入口である開口部Ａが形成される。開口部Ａは、可動パネル５にて閉じられる。
【００２７】
可動パネル５は、枠部材２６と透光性を備えた板体１７と透光性を備えない板体１８とから構成され、枠部材２６の部屋の壁Ｗ側の上端及び下端には、軸部材１９がそれぞれ設けられている（上端側の軸部材１９のみ図示）。
【００２８】
また、構造について詳述しないが、上方の軸部材１９はレール装置２に軸支されており、下方の軸部材１９は床Ｆ側に軸支されており、可動パネル５が軸部材１９，１９を回転軸として水平方向に回動可能となっている。つまり、間仕切パネル４と部屋の壁Ｗとの間に形成された開口部Ａを可動パネル５により開閉操作可能となっている。また、可動パネル５の自由端部側には、把手２０が固定されており、可動パネル５の開閉操作が行い易くなっている。
【００２９】
図１及び図４に示されるように、収納用ガイドレール１２は、スライドレール１１に直交して個室Ｐ側に延びる第１レール部２１と、第１レール部２１の長手方向に所定距離離間してスライドレール１１に平行に部屋の壁Ｗ方向にそれぞれ延びる第２レール部２２Ａ（主要レール）及び第３レール部２２Ｂ（主要レール）と、第２レール部２２Ａ及び第３レール部２２Ｂにそれぞれ直交し個室Ｐ側に延びる分岐レール２３Ａ，２３Ｂとから構成されている。第２レール部２２Ａと第３レール部２２Ｂとは間仕切パネル３，４の支持杆１０Ａ，１０Ｂの距離と同じ距離で離間して平行に架設されている。
【００３０】
移動間仕切装置１は、個室に対して大型の家具を搬入または搬出させる際に、間仕切パネル３，４と可動パネル５とを収納位置に収納させることができる。続いて、図４から図７を用いて間仕切パネル３，４と可動パネル５との収納手順を説明する。
【００３１】
図４に示されるように、まず可動パネル５を個室Ｐ側に回転させる。このとき、可動パネル５は収納用ガイドレール１２の下方すなわち収納位置において、部屋の壁Ｗに沿って収納される。尚、可動パネル５は、個室Ｐの内側方向への回動限界が９０度に設定されており、後に収納される間仕切パネル３，４と平行に対向するようになっている。
【００３２】
続いて、間仕切パネル４の固定機構１４による移動規制を解除した後、図５（ａ）に示されるように、間仕切パネル４を部屋の壁Ｗ方向に移動させ、支持杆１０Ｂをスライドレール１１と収納用ガイドレール１２の第１レール部２１とが交差する箇所に直線状に移動させる。この状態で、図５（ｂ）に示されるように、支持杆１０Ｂを第１レール部２１に、支持杆１０Ａをスライドレール１１に、それぞれ案内させて間仕切パネル４を回転移動させる。
【００３３】
次に、図６（ａ）に示されるように、支持杆１０Ｂを第１レール部２１と第２レール部２２Ａとが交差する箇所に、支持杆１０Ａを第１レール部２１と第３レール部２２Ｂとが交差する箇所に、それぞれ移動させる。この状態で、図６（ｂ）に示されるように、支持杆１０Ｂを第２レール部２２Ａに、支持杆１０Ａを第３レール部２２Ｂに、それぞれ案内させて間仕切パネル４を厚み方向における部屋の壁Ｗ方向に直線状に移動させ、間仕切パネル４を可動パネル５に平行に収納する。
【００３４】
次に、図７（ａ）に示されるように、間仕切パネル４の移動手順と同様に間仕切パネル３を移動させ、収納用ガイドレール１２の下方すなわち収納位置にて間仕切パネル３を間仕切パネル４と平行に収納する。このとき、支持杆１０Ｂを第２レール部２２Ａと分岐レール２３Ａとが交差する箇所に、支持杆１０Ａを第３レール部２２Ｂと分岐レール２３Ｂとが交差する箇所に、それぞれ移動させる。この状態で、図７（ｂ）に示されるように、支持杆１０Ｂを分岐レール２３Ａに、支持杆１０Ａを分岐レール２３Ｂに、それぞれ案内させて間仕切パネル３を幅方向に直線状に移動させる。
【００３５】
このように、可動パネル５と間仕切パネル３と間仕切パネル４とを順次収納位置に収納した後に、間仕切パネル３の支持杆１０Ｂを分岐レール２３Ａに、支持杆１０Ａを分岐レール２３Ｂに、それぞれ案内させて間仕切パネル３を幅方向に移動させることで、間仕切パネル３の厚み方向の移動を規制した状態を維持することができ、間仕切パネル３により可動パネル５と間仕切パネル４の厚み方向の移動を規制することができる。
【００３６】
また、上記したように、分岐レール２３Ａ，２３Ｂは第２レール部２２Ａ，第３レール部２２Ｂと交差して延びており、間仕切パネル４の支持杆１０Ａ，１０Ｂを分岐レール２３Ａ，２３Ｂの長手方向に深く嵌合でき、間仕切パネル３の厚み方向の移動を規制した状態を維持することができる。
【００３７】
また、図８に示されるように、分岐レール２３Ａ，２３Ｂは、間仕切パネル３を移動操作する利用者が天井Ｒ側に架設された収納用ガイドレール１２を見上げた際における視認性が高く、間仕切パネル３の支持杆１０Ａ，１０Ｂを分岐レール２３Ａ，２３Ｂに簡単に移動させることができる。
【００３８】
また、図にて詳述しないが、床Ｆにおける収納用ガイドレール１２の下方の所定位置には、固定穴部１３’が配置されている。この固定穴部１３’は、支持杆１０Ｂを分岐レール２３Ａに、支持杆１０Ａを分岐レール２３Ｂに、それぞれ案内させた状態における間仕切パネル３の固定機構１４の挿入ロッド１６の鉛直方向の真下に配置されている。挿入ロッド１６を固定穴部１３’に挿入させることで、間仕切パネル３は収納位置において、下端側が固定機構１４により床Ｆに固定されて厚み方向の揺動が防止され、上端側が支持杆１０Ａ，１０Ｂが分岐レール２３Ａ，２３Ｂに係合して厚み方向の移動が規制されるため、間仕切パネル３の厚み方向の移動を確実に防止できる。
【００３９】
分岐レール２３Ａ，２３Ｂは、第２レール部２２Ａ及び第３レール部２２Ｂの延設方向に対して略直交する方向に延設されている。これによれば、第２レール部２２Ａ及び第３レール部２２Ｂと分岐レール２３Ａ，２３Ｂとの間で間仕切パネル３の支持杆１０Ａ，１０Ｂを移動させる際に、間仕切パネル３が厚み方向に移動せず、かかる移動操作を行い易い。尚、第２レール部２２Ａ及び第３レール部２２Ｂの長手方向の寸法は、間仕切パネル３，４同士の間と、間仕切パネル４と可動パネル５との間とにそれぞれ隙間が生じるような寸法に形成されており、分岐レール２３Ａ，２３Ｂに間仕切パネル３を移動させる操作を行い易くなっている。また、上記したように第２レール部２２Ａ及び第３レール部２２Ｂから分岐レール２３Ａ，２３Ｂへ間仕切パネル４の支持杆１０Ａ，１０Ｂを移動させる際に、間仕切パネル３が厚み方向に移動しないことで、間仕切パネル３の幅方向端部を把持した手が間仕切パネル４との間で挟まれることが防止される。
【００４０】
また、分岐レール２３Ａ，２３Ｂは、第２レール部２２Ａ及び第３レール部２２Ｂの長手方向に一箇所のみ延設されている。これによれば、収納位置に最後に収納する間仕切パネル（本実施例では間仕切パネル３）の支持杆１０Ａ，１０Ｂを分岐レール２３Ａ，２３Ｂに移動させるのみで、それ以前に収納位置に収納した間仕切パネル（本実施例では間仕切パネル４）の厚み方向の移動を規制することができ、これら間仕切パネル３，４の厚み方向の移動を規制する作業を簡単に完了することができる。
【００４１】
また、収納用ガイドレール１２の第２レール部２２Ａ，第３レール部２２Ｂは、スライドレール１１に交差して個室Ｐ側に延びる第１レール部２１によりスライドレール１１に対して所定間隔離間して平行に架設されている。これによれば、第１レール部２１の長さ寸法を適宜設定することで、間取りに合わせて間仕切パネル３，４が収納される収納位置を個室Ｐ側の任意の位置に設定することができる。
【００４２】
また、分岐レール２３Ａ，２３Ｂは、図示しない固定手段により、その長手方向に亘り天井Ｒに固定されており、固定強度が高く、間仕切パネル３を確実に吊支することができる。
【００４３】
また、間仕切パネル３と間仕切パネル４とが同一構成であることから、間仕切パネル３の支持杆１０Ａ，１０Ｂを分岐レール２３Ａ，２３Ｂに係合させた際には、図７（ｂ）に示されるように、間仕切パネル３と間仕切パネル４との幅方向の位置にズレが生じ、間仕切パネル３の支持杆１０Ａ，１０Ｂが分岐レール２３Ａ，２３Ｂに係合したこと、すなわち間仕切パネル３の厚み方向への移動が規制されたことをひと目で判断することができる。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例において、間仕切パネル３と間仕切パネル４とは同一構成で説明したが、これに限らず、例えば図９に示す変形例１のように、間仕切パネル３’と間仕切パネル４’との支持杆１０Ａ’，１０Ｂ’の取付け位置を異ならせてもよい。これによれば、分岐レール２３Ａ，２３Ｂに支持杆１０Ａ’，１０Ｂ’を係合させた間仕切パネル３’と間仕切パネル４’との幅方向端部の位置を一致させることができ、美観を高めることができる。
【００４６】
また、図１０に示す変形例２のように、第２レール部２２Ａ，第３レール部２２Ｂと分岐レール２３Ａ，２３Ｂとが交差する箇所に、第２レール部２２の溝２２ｅより内側に突出する突出片３１，３１を設けてもよい。これら突出片３１，３１はゴム、合成樹脂製等であって弾性を有する部材であり、間仕切パネル３の支持杆１０Ａ，１０Ｂが分岐レール２３Ａ，２３Ｂと交差する位置まで移動した際に、支持杆１０Ａ，１０Ｂに当接する位置に配置されている。これによれば、利用者が支持杆１０Ａ，１０Ｂと分岐レール２３Ａ，２３Ｂとの位置合わせを簡単に行うことができる。
【００４７】
また、前記実施例において可動パネル５は、間仕切パネル４の壁Ｗ側の端部４ａと部屋の壁Ｗとの間の開口を閉じる構成で説明したが、これに限らず、図１１に示す変形例３のように、部屋の壁Ｗから略直交方向に延びる終端パネル３２を配置し、この終端パネル３２の端部３２ａに可動パネル５’が軸支されていてもよい。これによれば、可動パネル５’は、終端パネル３２の幅寸法の分だけ壁Ｗの反対方向に位置することになり、間仕切パネル４は部屋の壁Ｗに直接対向され、可動パネル５’は、間仕切パネル３，４を収納した後に開操作されて、最後に収納位置に収納される。また、この場合、可動パネル５’は、図示しない固定機構により床Ｆに開状態で位置規制されることが好ましい。
【００４８】
尚、収納用ガイドレール１２の第２レール部２２Ａ，第３レール部２２Ｂは、スライドレール１１に交差して個室Ｐ側に延びる第１レール部２１によりスライドレール１１に対して所定間隔離間して平行に架設されているため、閉状態の可動パネル５’を通路Ｃ側に避けておくことで、間仕切パネル３，４を可動パネル５’より先に収納位置まで移動させることができる。
【００４９】
また、前記実施例において間仕切パネル３，４は、吊支部材９Ａ，９Ｂによりレール装置２に吊支される構成で説明したが、例えば吊支部材９Ａ，９Ｂのローラ３０を省略して、レール装置は溝にて支持杆を案内するのみとし、間仕切パネル３，４の荷重はキャスターのみで支持するようにしてもよい。
【００５０】
また、固定機構１４は、最後に収納される間仕切パネル（本実施例では間仕切パネル３）のみに設けられていてもよい。
【００５１】
また、移動間仕切装置１は、開口部Ａを備えていなくともよく、例えば可動パネル５の代わりに間仕切パネル３，４と同様の構成の間仕切パネルを吊支させて個室Ｐに仕切るものであってもよい。更に、前記実施例においては、部屋の一方側の壁Ｗのみを図示し、収納用ガイドレール１２を当該壁Ｗ側に位置させた例で説明したが、この構成に限らず、例えば部屋の対向する壁の略中央に収納位置即ち収納用ガイドレールを位置させてもよいし、部屋の対向する壁の両側にそれぞれ収納用ガイドレールを配置し、個室を仕切る複数の間仕切パネルを２つの収納位置に分けて収納する構成としてもよい。
【００５２】
また、分岐レール２３Ａ，２３Ｂは、第２レール部２２Ａ及び第３レール部２２Ｂの延設方向に対して部屋の壁Ｗ側に斜めに延設されていてもよい。これによれば、第２レール部２２Ａ及び第３レール部２２Ｂと分岐レール２３Ａ，２３Ｂとの間で間仕切パネル３の支持杆１０Ａ，１０Ｂを移動させる際に、間仕切パネル３が部屋の壁Ｗ側に移動し、先に収納位置に収納された間仕切パネル４及び可動パネル５を部屋の壁Ｗ側に押し付けることができる。
【００５３】
また、分岐レール２３Ａ，２３Ｂの長手方向に移動させた間仕切パネル３の移動を規制する規制手段としては、間仕切パネル３の下端に設けられた固定機構１４のような構成に限らず、例えば収納用ガイドレール１２側から間仕切パネル３の上端に係合するような構成の規制手段であってもよい。
【符号の説明】
【００５４】
１                移動間仕切装置
２                レール装置
３，４            間仕切パネル
４ａ              間仕切パネル端部
５                可動パネル
６                枠部材
９Ａ，９Ｂ        吊支部材
１０Ａ，１０Ｂ    支持杆（被案内部）
１１              スライドレール
１２              収納用ガイドレール
１３              固定穴部
１４              固定機構（規制手段）
１９，１９        軸部材
２１              第１レール部
２２Ａ            第２レール部
２２Ｂ            第３レール部
２３Ａ，２３Ｂ    分岐レール
３０              ローラ
３１，３１        突出片
３２              終端パネル
３５              キャスター
Ａ                開口部
Ｃ                通路
Ｆ                床
Ｐ                個室
Ｒ                天井
Ｗ                壁
【図１】
2019116783.tif 000003
【図２】
2019116783.tif 000004
【図３】
2019116783.tif 000005
【図４】
2019116783.tif 000006
【図５】
2019116783.tif 000007
【図６】
2019116783.tif 000008
【図７】
2019116783.tif 000009
【図８】
2019116783.tif 000010
【図９】
2019116783.tif 000011
【図１０】
2019116783.tif 000012
【図１１】
2019116783.tif 000013